(57)【特許請求の範囲】
【請求項１】
上流側の外壁材を鋼矢板で構成し、下流側の外壁材を間伐材等の長尺材で構成して、前記両外壁材をコンクリート型枠として用い、その内側へコンクリートを打設して構築された砂防堰堤等の土木構造物であって、
上流側の外壁材の下端位置を定める基礎梁が基礎地盤上に上向きの溝形断面材として配置され、前記基礎梁には、同基礎梁と下流側の柱材の支持プレートとを連結するつなぎ材の一方の端部が接合されており、前記基礎梁の溝内へ鋼矢板の下端を挿入してあり、前記鋼矢板は、内側をサポート材で支持された支柱で支保されており、前記鋼矢板に水平方向の腹起こし材が接合され、その腹起こし材にアンカー材が取り付けられていること、
前記つなぎ材により基礎梁と連結される支持プレートが下端部に設けられ、上方へ間隔を開けて複数のアンカー引掛用プレートが設けられたＨ型鋼等の溝部を有する柱材が、基礎地盤上に間隔を開けて配置され、前記支持プレートには、つなぎ材の他方の端部が接合されて上流側の基礎梁と連結されており、下流側の外壁材である間伐材等の長尺材の両端が、隣接する柱材の溝部へ挿入されて柱材の上端部近傍までほぼ水平に積み重ねられており、前記柱材のアンカー引掛用プレートに腹起こし材が接合され、前記アンカー引掛用プレート又は腹起こし材の少なくとも一方にアンカー材が取り付けられていること、
前記の両外壁材の内側へコンクリートが打設されていることを特徴とする、鋼矢板及び間伐材等の長尺材を用いた砂防堰堤等の土木構造物。
【請求項２】
前記コンクリートの骨材がクラッシャーランであることを特徴とする、請求項１に記載した鋼矢板及び間伐材等の長尺材を用いた砂防堰堤等の土木構造物。
【請求項３】
上流側の外壁材を鋼矢板で構成し、下流側の外壁材を間伐材等の長尺材で構成して、前記両外壁材をコンクリート型枠として用い、その内側へコンクリートを打設して砂防堰堤等の土木構造物を構築する工法であって、
上流側の外壁材の下端位置を定める基礎梁を基礎地盤上に上向きの溝形断面材として配置し、前記基礎梁に、同基礎梁と下流側の柱材の支持プレートとを連結するつなぎ材の一方の端部を接合し、前記基礎梁の溝内へ鋼矢板の下端を挿入する段階と、
前記鋼矢板は、内側をサポート材で支持された支柱で支保させ、前記鋼矢板に水平方向の腹起こし材を接合する段階と、
前記つなぎ材により基礎梁と連結する支持プレートを下端部に設け、上方へ間隔を開けて複数のアンカー引掛用プレートを設けたＨ型鋼等の溝部を有する柱材を、基礎地盤上に間隔を開けて配置し、その支持プレートに、つなぎ材の他方の端部を接合し上流側の基礎梁と連結する段階と、
下流側の外壁材である間伐材等の長尺材の両端を、隣接する柱材の溝部へ挿入して上流側の背が低い鋼矢板の上端部近傍まで積み重ねる段階と、
前記アンカー引掛用プレートに腹起こし材を接合する段階と、
前記の両外壁材の内側へ、各外壁材が自立する高さまでコンクリートを打設し、打設したコンクリートの上部を振動ローラー等で転圧し、前記上流側の腹起こし材、及び下流側のアンカー引掛用プレート又は腹起こし材の少なくとも一方にアンカー材を取り付けて、打設したコンクリートが強度を発現するまで養生する段階と、
前記外壁材の構築と、コンクリートの打設と転圧、及びアンカー材の取付け、並びにコンクリートの養生を行う工程を、前記土木構造物の設計高さまで繰り返す段階とから成ることを特徴とする、鋼矢板及び間伐材等の長尺材を用いた砂防堰堤等の土木構造物の構築工法。
【請求項４】
上流側の外壁材をモジュール長さ及び略１／２モジュール長さに加工した鋼矢板で構成し、下流側の外壁材は間伐材等の長尺材で構成して、前記両外壁材をコンクリート型枠として用い、その内側へコンクリートを打設して砂防堰堤等の土木構造物を構築する工法であって、
上流側の外壁材の下端位置を定める基礎梁を基礎地盤上に上向きの溝形断面材として配置し、前記基礎梁に、同基礎梁と下流側の柱材の支持プレートとを連結するつなぎ材の一方の端部を接合する段階と、
前記基礎梁の上に、長手方向に間隔を開けて、支柱を一定の内向き傾斜角度で立て、各支柱は内側をサポート材により支持させる段階と、
前記支柱をガイドにしてその外側に、上記モジュール長さ及び略１／２モジュール長さに加工した一段目の鋼矢板をそれぞれ互い違いの配置に接合し、それぞれの下端を前記基礎梁の溝内へ挿入することによって各鋼矢板の継目を上下方向に段違いの千鳥状配置に形成し、前記一段目の背が低い鋼矢板の基礎梁近傍に腹起こし材を取り付ける段階と、
前記つなぎ材により基礎梁と連結する支持プレートを下端部に設け、アンカー引掛用プレートを上流側の鋼矢板とほぼ等しい高さに設け、モジュール長さに加工したＨ型鋼等の溝部を有する一段目の柱材を、基礎地盤上に間隔を開けて配置し、その支持プレートに、前記つなぎ材の他方の端部を接合し、上流側の基礎梁と連結する段階と、
下流側の外壁材である間伐材等の長尺材の両端を、隣接する柱材の溝部へそれぞれ挿入して上流側の一段目の背が低い鋼矢板とほぼ等しい高さまで略水平に積み重ね、前記高さの近傍に設けたアンカー引掛用プレートに腹起こし材を取り付ける段階と、
上流側の一段目の背が低い鋼矢板の上端部近傍まで第一段目のコンクリートを打設し、打設したコンクリートの上部を振動ローラー等で転圧し、前記アンカー引掛用プレート又は腹起こし材の少なくとも一方にアンカー材を水平方向に取り付けて前記打設コンクリートの天端へ置き、同コンクリートが強度を発現するまで養生する段階と、
上流側の一段目の背が低い鋼矢板の上方に前記モジュール長さの鋼矢板を接合して立て、前記鋼矢板の中部に二段目の腹起こし材をボルト接合する段階と、
下流側の外壁材である間伐材等の長尺材を上流側の一段目の背が高い鋼矢板とほぼ等しい高さまで略水平に積み重ね、前記高さの近傍に設けたアンカー引掛用プレートに腹起こし材を取り付ける段階と、
上流側の一段目の背が高い鋼矢板の上端部近傍まで第二段目のコンクリートを打設して転圧し、前記背が高い鋼矢板とほぼ等しい高さに設けた下流側のアンカー引掛用プレート及び上流側の二段目の腹起こし材にアンカー材を水平方向に取り付けて前記打設コンクリートの天端へ置き、同コンクリートが強度を発現するまで養生する段階と、
以下、上流側の外壁材である鋼矢板を接合して立て、腹起こし材の取付けを行うと共に下流側の柱材を継ぎ足し、間伐材等の長尺材を積み重ね、腹起こし材の取付けを行い、コンクリートを打設して転圧し、アンカー材を取付け、打設コンクリートの養生を行う工程を、当該土木構造物の設計高さまで繰り返す段階とから成ることを特徴とする、鋼矢板及び間伐材等の長尺材を用いた砂防堰堤等の土木構造物の構築工法。
【請求項５】
前記コンクリートの骨材がクラッシャーランであることを特徴とする、請求項３又は４に記載した鋼矢板及び間伐材等の長尺材を用いた砂防堰堤等の土木構造物の構築工法。
【請求項６】
上流側の鋼矢板の頂部には、堤冠材を設けることを特徴とする、請求項３〜５のいずれか一に記載した鋼矢板及び間伐材等の長尺材を用いた砂防堰堤等の土木構造物の構築工法。
【発明の詳細な説明】
【０００１】
【発明の属する技術分野】
この発明は、上流側に鋼矢板を、下流側に間伐材等の長尺材をそれぞれ外壁材として用い、その内側にコンクリートを充填してなる砂防堰堤等の土木構造物及びその構築工法の技術分野に属する。
【０００２】
【従来の技術】
従来、上流側の外壁材を鋼矢板で構成し、下流側の外壁材を間伐材等の長尺材で構成して、前記両外壁材の内側にコンクリートを充填してなる砂防堰堤等の土木構造物は皆無に等しい。しかし、鋼矢板を用いた砂防堰堤等の土木構造物の構造としては、例えば、
【０００３】
（I）鋼矢板を上流側及び下流側の外壁材として用い、その内側にコンクリートを打設してなる砂防堰堤等の土木構造物（特公平４−３３９２１号公報、特開平７−３７５０号公報）。
【０００４】
（II）鋼板を上流側及び下流側の外壁材として用い、その内側にコンクリートを打設してなる砂防堰堤等の土木構造物（特公昭６１−３９２９号公報、実開昭６０−４０５３０号公報）。
【０００５】
（III）鋼矢板を千鳥状に組み立て上流側及び下流側の外壁材として用い、その内側にコンクリートを打設してなる砂防堰堤等の土木構造物（特公平４−２７２７号公報、特公平４−４４６４４号公報）。
などが公知に属する。
【０００６】
上記（I）〜（III）いずれの土木構造物も、基礎地盤上に直接鋼矢板等を構築して外壁材を完成し、又は基礎地盤上に基礎フレーム等の骨組みを構築し、その骨組みに鋼矢板等を接合して外壁材を完成して、前記外壁材の内側へコンクリートを打設して土木構造物を完成する構築工法が採用されている。
【０００７】
【本発明が解決しようとする課題】
上述した従来技術のように基礎地盤上に直接鋼矢板を構築すると、一段目の鋼矢板の配置や、鋼矢板の傾斜角度等を設計した通りに構築することが困難である。即ち、外壁材を正確に定形化する（コンクリート型枠としての形を作り保持する。）ことが困難である。
【０００８】
また、コンクリートの打設を一気に完了させるため、向かい合う外壁材同士はコンクリートの打設圧に耐えるようにタイロッド等の連結部材で連結するなどの補強工作を行い、外壁材の変形（いわゆる孕み）を防ぐ強固な構成とする必要がある。
【０００９】
そのため、基礎地盤上に基礎フレーム等の骨組みを構築し、その骨組みに鋼矢板を接合して外壁材を完成させることも行われるが、この場合には部材点数が多くなってコストが嵩む。しかも前記部材点数の増加に伴い組立作業が煩雑となる。
【００１０】
従って、本発明の目的は、少ない部材点数、少ない工数で外壁材の定形化（特に第一段目）を容易に行うことができ、コストの削減と作業能率の向上が可能で、しかも自然と調和して景観性が高い鋼矢板及び間伐材等の長尺材を用いた砂防堰堤等の土木構造物及びその構築工法を提供することである。
【００１１】
【課題を解決するための手段】
上記従来技術を解決するための手段として、請求項１に記載した発明に係る鋼矢板及び間伐材等の長尺材を用いた砂防堰堤等の土木構造物は、
上流側の外壁材を鋼矢板で構成し、下流側の外壁材を間伐材等の長尺材で構成して、前記両外壁材をコンクリート型枠として用い、その内側へコンクリートを打設して構築された砂防堰堤等の土木構造物であって、
上流側の外壁材の下端位置を定める基礎梁が基礎地盤上に上向きの溝形断面材として配置され、前記基礎梁には、同基礎梁と下流側の柱材の支持プレートとを連結するつなぎ材の一方の端部が接合されており、前記基礎梁の溝内へ鋼矢板の下端を挿入してあり、前記鋼矢板は、内側をサポート材で支持された支柱で支保されており、前記鋼矢板に水平方向の腹起こし材が接合され、その腹起こし材にアンカー材が取り付けられていること、
前記つなぎ材により基礎梁と連結される支持プレートが下端部に設けられ、上方へ間隔を開けて複数のアンカー引掛用プレートが設けられたＨ型鋼等の溝部を有する柱材が、基礎地盤上に間隔を開けて配置され、前記支持プレートには、つなぎ材の他方の端部が接合されて上流側の基礎梁と連結されており、下流側の外壁材である間伐材等の長尺材の両端が、隣接する柱材の溝部へ挿入されて柱材の上端部近傍までほぼ水平に積み重ねられており、前記柱材のアンカー引掛用プレートに腹起こし材が接合され、前記アンカー引掛用プレート又は腹起こし材の少なくとも一方にアンカー材が取り付けられていること、
前記の両外壁材の内側へコンクリートが打設されていることを特徴とする。
【００１２】
請求項２記載の発明は、請求項１に記載した発明に係る鋼矢板及び間伐材等の長尺材を用いた砂防堰堤等の土木構造物において、
前記コンクリートの骨材がクラッシャーランであることを特徴とする。
【００１３】
請求項３に記載した発明に係る鋼矢板及び間伐材等の長尺材を用いた砂防堰堤等の土木構造物の構築工法は、
上流側の外壁材を鋼矢板で構成し、下流側の外壁材を間伐材等の長尺材で構成して、前記両外壁材をコンクリート型枠として用い、その内側へコンクリートを打設して砂防堰堤等の土木構造物を構築する工法であって、
上流側の外壁材の下端位置を定める基礎梁を基礎地盤上に上向きの溝形断面材として配置し、前記基礎梁に、同基礎梁と下流側の柱材の支持プレートとを連結するつなぎ材の一方の端部を接合し、前記基礎梁の溝内へ鋼矢板の下端を挿入する段階と、
前記鋼矢板は、内側をサポート材で支持された支柱で支保させ、前記鋼矢板に水平方向の腹起こし材を接合する段階と、
前記つなぎ材により基礎梁と連結する支持プレートを下端部に設け、上方へ間隔を開けて複数のアンカー引掛用プレートを設けたＨ型鋼等の溝部を有する柱材を、基礎地盤上に間隔を開けて配置し、その支持プレートに、つなぎ材の他方の端部を接合し上流側の基礎梁と連結する段階と、
下流側の外壁材である間伐材等の長尺材の両端を、隣接する柱材の溝部へ挿入して、上流側の背が低い鋼矢板の上端部近傍まで積み重ねる段階と、
前記アンカー引掛用プレートに腹起こし材を接合する段階と、
前記の両外壁材の内側へ、各外壁材が自立する高さまでコンクリートを打設し、打設したコンクリートの上部を振動ローラー等で転圧し、前記上流側の腹起こし材、及び下流側のアンカー引掛用プレート又は腹起こし材の少なくとも一方にアンカー材を取り付けて、打設したコンクリートが強度を発現するまで養生する段階と、
前記外壁材の構築と、コンクリートの打設と転圧、及びアンカー材の取付け、並びにコンクリートの養生を行う工程を、前記土木構造物の設計高さまで繰り返す段階とから成ることを特徴とする。
【００１４】
請求項４に記載した発明に係る鋼矢板及び間伐材等の長尺材を用いた砂防堰堤等の土木構造物の構築工法は、
上流側の外壁材をモジュール長さ及び略１／２モジュール長さに加工した鋼矢板で構成し、下流側の外壁材は間伐材等の長尺材で構成して、前記両外壁材をコンクリート型枠として用い、その内側へコンクリートを打設して砂防堰堤等の土木構造物を構築する工法であって、
上流側の外壁材の下端位置を定める基礎梁を基礎地盤上に上向きの溝形断面材として配置し、前記基礎梁に、同基礎梁と下流側の柱材の支持プレートとを連結するつなぎ材の一方の端部を接合する段階と、
前記基礎梁の上に、長手方向に間隔を開けて、支柱を一定の内向き傾斜角度で立て、各支柱は内側をサポート材により支持させる段階と、
前記支柱をガイドにしてその外側に、上記モジュール長さ及び略１／２モジュール長さに加工した一段目の鋼矢板をそれぞれ互い違いの配置に接合し、それぞれの下端を前記基礎梁の溝内へ挿入することによって各鋼矢板の継目を上下方向に段違いの千鳥状配置に形成し、前記一段目の背が低い鋼矢板の基礎梁近傍に腹起こし材を取り付ける段階と、
前記つなぎ材により基礎梁と連結する支持プレートを下端部に設け、アンカー引掛用プレートを上流側の鋼矢板とほぼ等しい高さに設け、モジュール長さに加工したＨ型鋼等の溝部を有する一段目の柱材を、基礎地盤上に間隔を開けて配置し、その支持プレートに、前記つなぎ材の他方の端部を接合し、上流側の基礎梁と連結する段階と、
下流側の外壁材である間伐材等の長尺材の両端を、隣接する柱材の溝部へそれぞれ挿入して上流側の一段目の背が低い鋼矢板とほぼ等しい高さまで略水平に積み重ね、前記高さの近傍に設けたアンカー引掛用プレートに腹起こし材を取り付ける段階と、
上流側の一段目の背が低い鋼矢板の上端部近傍まで第一段目のコンクリートを打設し、打設したコンクリートの上部を振動ローラー等で転圧し、前記アンカー引掛用プレート又は腹起こし材の少なくとも一方にアンカー材を水平方向に取り付けて前記打設コンクリートの天端へ置き、同コンクリートが強度を発現するまで養生する段階と、
上流側の一段目の背が低い鋼矢板の上方に前記モジュール長さの鋼矢板を接合して立て、前記鋼矢板の中部に二段目の腹起こし材をボルト接合する段階と、
下流側の外壁材である間伐材等の長尺材を上流側の一段目の背が高い鋼矢板とほぼ等しい高さまで略水平に積み重ね、前記高さの近傍に設けたアンカー引掛用プレートに腹起こし材を取り付ける段階と、
上流側の一段目の背が高い鋼矢板の上端部近傍まで第二段目のコンクリートを打設して転圧し、前記背が高い鋼矢板とほぼ等しい高さに設けた下流側のアンカー引掛用プレート及び上流側の二段目の腹起こし材にアンカー材を水平方向に取り付けて前記打設コンクリートの天端へ置き、同コンクリートが強度を発現するまで養生する段階と、
以下、上流側の外壁材である鋼矢板を接合して立て、腹起こし材の取付けを行うと共に下流側の柱材を継ぎ足し、間伐材等の長尺材を積み重ね、腹起こし材の取付けを行い、コンクリートを打設して転圧し、アンカー材を取付け、打設コンクリートの養生を行う工程を、当該土木構造物の設計高さまで繰り返す段階とから成ることを特徴とする。
【００１５】
請求項５記載の発明は、請求項３又は４に記載した発明に係る鋼矢板及び間伐材等の長尺材を用いた砂防堰堤等の土木構造物の構築工法において、
前記コンクリートの骨材がクラッシャーランであることを特徴とする。
【００１６】
請求項６記載の発明は、請求項３〜５のいずれか一に記載した鋼矢板及び間伐材等の長尺材を用いた砂防堰堤等の土木構造物の構築工法において、
上流側の鋼矢板の頂部には、堤冠材を設けることを特徴とする。
【００１７】
【本発明の実施の形態、及び実施例】
先ずは請求項４〜６に記載した発明に係る鋼矢板及び間伐材を用いた砂防堰堤等の土木構造物の構築工法の実施形態を、図１〜図１３に基づいて説明する。
【００１８】
この構築工法は、図１〜図３に示すように、上流側の外壁材３をモジュール長さ及び略１／２モジュール長さに加工した鋼矢板５で構成し、下流側の外壁材３を間伐材６で構成して、一定の間隔を開けて構築し、前記外壁材３、３をコンクリート型枠として用い、その内側へコンクリート４を打設して砂防堰堤１を構築する。
【００１９】
先ず、前記砂防堰堤１を構築する第一の工程が完了した状態を、図４に示している。
【００２０】
上流側の基礎地盤２において、前記上流側の外壁材３の下端位置を定める基礎梁７を、予め土工により地固めを行って整地された基礎地盤２上に、上向きの溝形断面材として配置し、前記基礎梁７に、同基礎梁７と後記の下流側の柱材８の支持プレート９とを連結するつなぎ材１１の一方の端部を接合する。前記つなぎ材１１は、軸材方向に複数本連結され、前記上流側の基礎梁７と下流側の柱材８の支持プレート９とを一定の間隔に保持させる。
【００２１】
具体的に説明すると、上流側の外壁材３は、図１及び図２等に示すように、隣り合う鋼矢板を相互に接合できるように両端にジョイント部を有する公知の鋼矢板を使用し、構築作業に至便のモジュール長さ及び略１／２モジュール長さに加工して用い、もって各々の継目が互い違いに高低に変化する、所謂段違いの千鳥状配置となるように組み立てる。したがって、隣り合う鋼矢板５、５相互を容易に、且つ緊密に接合することができ、鋼矢板５…の定形化が容易で構築作業が簡易である。そのため、作業効率の向上が可能でコストの削減に寄与する。
【００２２】
その一段目の鋼矢板５…の下端位置を定める基礎梁７は、図５に示すように、外壁材３の長さ（堰堤の長さ）の応じて複数本をボルト１２と接合プレート１３とで長く連結して構成され、同基礎梁７を基礎地盤２上に配置する。そして、前記基礎梁７の長手方向に一定の間隔（２ｍ程度）を開けて、つなぎ材１１を配置し、その一方の端部を基礎梁７にボルト接合している。
【００２３】
その基礎梁７の上に、長手方向に間隔（２ｍ程度）を開けて、支柱１４を一定の傾斜角度（約１．４rad）で立て、各支柱１４は基端を前記つなぎ材１１へボルト止めしたサポート材１５により内側から支持させる。支柱１４は１ｍ程度の高さを有する山形鋼で構成され、図２及び図９に示すように、前記基礎梁７とつなぎ材１１との接合部位に、下端を上記基礎梁７の溝７ａ内へ挿入して立て、上端部近傍をサポート材１５とボルト止めして一定の内向き傾斜角度に支持させている。
【００２４】
前記支柱１４をガイドにしてその外側に、図５及び図９に示すように、上記のモジュール長さ及び略１／２モジュール長さに加工した一段目の鋼矢板５と５’を互い違いの配置に接合し、それぞれの下端を前記基礎梁７の溝部７ａへ挿入することによって、一段目の鋼矢板５及び５’を外壁材として立てる。したがって、一段目の鋼矢板５及び５’の下端位置及び傾斜角度を容易に定めることができ、作業効率の向上が可能でコストの削減に寄与する。
【００２５】
次に、図５及び図１０に示すように、前記一段目の鋼矢板５及び５’の内側面の基礎梁近傍に共通の腹起こし材１６を配置し、内側面が腹起こし材１６と当たっている鋼矢板（本実施形態では背が低い鋼矢板５’）と腹起こし材１６とをボルト１２で接合する。その場合、腹起こし材１６へ当たらない背が高い鋼矢板５の内側面と腹起こし材１６とは支柱１４を挟み込み、鋼矢板５…がコンクリート４を打設した際のコンクリート圧により外側へ倒れない構造としている。
【００２６】
一方、下流側の基礎地盤２には、図３及び図４に示すように、前記つなぎ材１１により基礎梁７と連結する支持プレート９を下端部に設け、アンカー引掛用プレート１０を上流側の鋼矢板とほぼ等しい高さ、即ち、本実施形態では、中間部及び上端部に設け、上流側の鋼矢板５のモジュール長さとほぼ等しい長さ（例えば、１ｍ程度）に加工したＨ形鋼等の溝部８ａを有する一段目の柱材８を、前記基礎地盤２上に間隔を開けて配置する。前記支持プレート９は、鉛直部と水平部とで構成され、前記アンカー引掛用プレート１０も、鉛直部と水平部とで構成されて、その鉛直部には、アンカー材１７のフック部を挿入する孔が設けられている。その支持プレート９の水平部に、前記つなぎ材１１の他方の端部をボルト接合し、上流側の基礎梁７と連結する。
【００２７】
上記間伐材６の両端を、図３及び図６（Ａ）に示すように、隣接する柱材８、８の溝部８ａ、８ａにそれぞれ挿入し、上流側の一段目の背が低い鋼矢板５’とほぼ等しい高さまで略水平に積み重ね、図６（Ｂ）に示すように、前記高さの近傍位置、即ち、柱材８の中間部に設けたアンカー引掛用プレート１０の水平部に、一段目の腹起こし材１６をボルト１２で接合する。したがって、前記間伐材６の両端を隣接する柱材８、８の溝部８ａ、８ａにそれぞれ挿入するだけで同間伐材６…を略水平に積み重ねて壁を作ることができ、間伐材６…の定形化が容易である。しかも、前記間伐材６…の下端位置及び傾斜角度も容易に定めることができ構築作業が簡易である。そのため、作業効率の向上が可能でコストの削減に寄与する。
【００２８】
その後、上流側の一段目の背が低い鋼矢板５’の上端部近傍まで第一段目のコンクリート４を打設し、前記打設したコンクリート４の上部を振動ローラー等で転圧する。このコンクリート４が強度を発現する前に、アンカー引掛用プレート１０の鉛直部の孔へアンカー材１７のフック部を挿入し、前記アンカー材１７はコンクリート４の天端へ置く（又は寝かせる）形で略水平方向に取り付ける。そして、前記第一段目のコンクリート４が強度を発現するまで養生し、砂防堰堤１を構築する第一の工程が完了する。
【００２９】
前記第一の工程では、上流側の外壁材３において、下流側の支持プレート９とつなぎ材１１で連結した基礎梁７、サポート材１５により支保された支柱１４、及び腹起こし材１６のそれぞれが、鋼矢板５及び５’を支持する働きをなし、更に、鋼矢板５及び５’自身の剛性、及び隣り合う鋼矢板５、５’相互の接合力等が、コンクリート４を打設した際のコンクリート圧に耐える強度を発揮する。
【００３０】
一方、下流側の外壁材３において、上流側の基礎梁７とつなぎ材１１により連結した支持プレート９、及び腹起こし材１６が、間伐材６を挿入する柱材８を支持する働きをなし、更に柱材８及び間伐材６自身の剛性が、コンクリート４を打設した際のコンクリート圧に耐える強度を発揮する。
【００３１】
したがって、上流側及び下流側の外壁材３、３同士をタイロッド等の連結部材で連結して補強する工作の必要はない。なお、前記コンクリート４の骨材には、クラッシャーランを用いる（請求項５記載の発明）。前記クラッシャーランは、道路の路盤材などに使用する道路用砕石である。具体的には、破砕機で破砕した後、ふるいにかけずそのまま使用する砕石であって、全国どこでも安価に入手できる。そのため、材料調達を容易に行うことができコストの削減と作業効率の向上が可能である。
【００３２】
つづいて、砂防堰堤１を構築する第二の工程が完了した状態を、図７に示している。
【００３３】
上流側の外壁材３において、図８に示すように、上流側の一段目の背が低い鋼矢板５’の上方へモジュール長さの鋼矢板５を接合して立て、前記鋼矢板５の中部を二段目の腹起こし材１６とボルト１２で接合する。その場合、一段目の背が高い鋼矢板５の内側面と前記腹起こし材１６とで支柱１４を挟み込む。
【００３４】
下流側の外壁材３としては、間伐材６を上流側の一段目の背が高い鋼矢板５とほぼ等しい高さ、即ち、一段目の柱材８の上端部近傍まで略水平に間伐材６を積み重ねる（図７を参照）。なお、本実施形態の場合、前記高さの近傍位置、即ち柱材８の上端部に設けたアンカー引掛用プレート１０に、後記二段目の柱材８の支持プレート９を接合するため、前記アンカー引掛用プレート１０に、腹起こし材を設けない。
【００３５】
その後、上流側の一段目の背が高い鋼矢板５の上端部近傍まで第二段目のコンクリート４を打設して、第一の工程と略同様に振動ローラー等で、前記打設コンクリート４を転圧する。このコンクリート４が強度を発現する前に下流側のアンカー引掛用プレート１０の孔及び上流側の二段目の腹起こし材１６に予めあけておいた孔へアンカー材１７のフック部を挿入し、前記アンカー材１７をコンクリート４の天端へ置く（又は寝かせる）形で略水平方向に取り付ける。そして、前記第二段目のコンクリート４が強度を発現するまで養生し、砂防堰堤１を構築する第二の工程が完了する。
【００３６】
前記第二の工程では、既に第一段目のコンクリート４が強度を発現し一体化された各部材の強度と剛性、及び二段目のコンクリート４に埋め込まれ一体化されたアンカー材１７の定着力、上流側における二段目の鋼矢板５自身の剛性、隣り合う鋼矢板５、５相互の接合力等、並びに下流側における柱材８及び間伐材６自身の剛性がコンクリート４の打設圧に十分に耐え得る強度を発揮しており、何の問題もない。
【００３７】
更に、砂防堰堤１を構築する第三の工程が完了した状態を、図１１に示している。
【００３８】
上流側の外壁材３において、図示は省略したが、一段目の背が高い鋼矢板５の上方にモジュール長さの鋼矢板５を接合して立て、前記二段目の鋼矢板５の上部を三段目の腹起こし材１６とボルト１２で接合する。
【００３９】
下流側の外壁材３において、一段目の柱材８の上方に二段目の柱材８を継ぎ足す。その場合、前記二段目の柱材８の下端部に設けた支持プレート９に二段目の腹起こし材１６を設置する。具体的には、図１２（Ａ）、（Ｂ）に示すように、前記アンカー引掛用プレート１０の水平部と支持プレート９の水平部と腹起こし材１６とを共通のボルト１２で接合する。
【００４０】
そして、前記二段目の背が低い鋼矢板５とほぼ等しい高さまで略水平に間伐材６を積み重ね、前記二段目の背が低い鋼矢板５とほぼ等しい高さ、即ち、二段目の柱材８の中間部に設けたアンカー引掛用プレート１０の水平部に三段目の腹起こし材１６をボルト１２で接合する。
【００４１】
その後、上流側の二段目の背が低い鋼矢板５の上端部近傍まで第三段目のコンクリート４を打設し、第二の工程と略同様に、前記打設コンクリート４の転圧、アンカー材１７の取付け、及び打設コンクリート４の養生を行い、砂防堰堤１を構築する第三の工程が完了する。
【００４２】
前記第三の工程では、第二の工程と同じく、コンクリート４の打設圧に十分に耐え得る強度を発揮し、何の問題もない。
【００４３】
以下、上流側の鋼矢板５を接合して立て、腹起こし材１６の取付けを行うと共に、下流側の柱材８を継ぎ足し、間伐材６の積み重ね、及び腹起こし材１６の取付けを行い、コンクリート４を打設して転圧し、アンカー材１７の取付け、及び打設コンクリート４の養生を行う工程を、当該砂防堰堤１の設計高さまで繰り返す。
【００４４】
したがって、従来のように外壁材３の変形を防止するために型枠構造に大きな剛性と強度を確保する工作を施す面倒がなく、部材点数を削減でき、組立作業が容易で、作業効率を向上することができる。また、部材点数の削減によりコストの削減も図れる。
【００４５】
しかも前工程で打設され強度を発現したコンクリート４を足場代わりにして、次工程の柱材８の設置、間伐材６の積み重ね、及び鋼矢板５の組立てその他を行うことができ、外壁材３の内外に別途足場を構築する必要がないから、組立作業の容易化に寄与する。
【００４６】
また、下流側の外壁材３として、間伐材６を用いることにより自然と調和し、景観性を高めることができる。
【００４７】
最後に、図１３に拡大して示したように、前記所定の高さまで達した鋼矢板５の頂部に堤冠材１８を挿入し砂防堰堤１を完成する（請求項６記載の発明）。したがって、この砂防堰堤１を越流する流水や土砂が直接外壁材３の頂部に衝突して傷つけることを防止できる。
【００４８】
上述のようにして構築される砂防堰堤１は、モジュール長さの柱材８及び鋼矢板５に限らないで、請求項３記載の発明に係る構築工法によっても、全く同様に構築される。即ち、上流側の外壁材３の下端位置を定める基礎梁７を基礎地盤２上に上向きの溝形断面材として配置し、前記基礎梁７に、同基礎梁７と後記の下流側の柱材８の支持プレート９とを連結するつなぎ材１１の一方の端部を接合し、前記基礎梁７の溝７ａ内へ鋼矢板５の下端を挿入する。前記鋼矢板５を、内側からサポート材１５で支持された支柱１４で支保させて、同鋼矢板５に水平方向の腹起こし材１６を接合する。
【００４９】
前記つなぎ材１１により基礎梁７と連結する支持プレート９を下端部に設け、上方へ間隔を開けて複数のアンカー引掛用プレート１０…を設けた、Ｈ型鋼等の溝部８ａを有する柱材８を、基礎地盤２上に間隔を開けて配置し、その支持プレート９に、つなぎ材１１の他方の端部を接合し上流側の基礎梁７と連結する。間伐材６の両端を、隣接する柱材８の溝部８ａへ挿入し、上流側の背が低い鋼矢板５の上端部近傍まで積み重ねる。そして、前記アンカー引掛用プレート１０に腹起こし材１６を接合する。
【００５０】
その後、前記の両外壁材３、３の内側へ、各外壁材３、３が自立する高さまでコンクリート４を打設し、打設したコンクリート４の上部を振動ローラー等で転圧し、前記上流側の腹起こし材１６、及び下流側のアンカー引掛用プレート１０又は腹起こし材１６の少なくとも一方にアンカー材１７を取り付けて、打設したコンクリート４が強度が発現するまで養生する。
【００５１】
以下、前記外壁材３、３の構築と、コンクリート４の打設と転圧、及びアンカー材１７の取付け、並びにコンクリート４の養生を行う工程を、前記砂防堰堤１の高さまで繰り返すことによって、請求項１に記載したような砂防堰堤１を構築できる。なお、前記砂防堰堤１のコンクリート４の骨材も、クラッシャーランが用いられる（請求項２記載の発明）。
【００５２】
なお、上記実施形態では、外壁材３として間伐材６及び鋼矢板５を用いているが、これに限らない。即ち、下流側の外壁材３は、間伐材６のように長尺材であれば良く、鋼製部材でも良い。また、矩形の鋼製部材でも同様に実施できる。
更に、上流側の外壁材３は、軽量鋼矢板あるいはライナープレートでも実施できる。
【００５３】
また、上記実施形態では、土木構造物の用途を砂防堰堤としているが、土留め擁壁としても好適に実施することができる。
【００５４】
更に、上記実施形態では、柱材８のモジュール長さを鋼矢板５のモジュール長さとほぼ等しくしているが、この限りではない。即ち、柱材８のモジュール長さは自由に定められる。その場合、柱材８の高さに応じて、上流側の鋼矢板５を接合して立て、腹起こし材１６の取付けを行うと共に、間伐材６の積み重ね、及び腹起こし材１６の取付けを行い、コンクリート４を打設して転圧し、アンカー材１７の取付け、及び打設コンクリート４の養生を行う工程を繰り返した後、第二の工程を行い一段目の柱材８の上端部近傍まで砂防堰堤１を構築する。更に、次段の柱材８の継ぎ足し等を行う第三の工程に移行する。そのため、柱材８を鋼矢板５の略１／２モジュール長さを一単位として連続する長さに構成すると、上流側の鋼矢板５の長さと整合性がとれ、構築作業の容易化に寄与する。
【００５５】
【本発明の奏する効果】
請求項１〜６に記載した発明に係る鋼矢板及び間伐材等の長尺材を用いた砂防堰堤等の土木構造物及びその構築工法は、外壁材が自立し得る高さずつ複数回に分けてコンクリートを打設するため、タイロッド等の連結部材及び骨組み等を必要とせず、少ない部材点数、少ない工数で砂防堰堤を構築することができ、コストの削減と作業効率の向上が可能である。
【００５６】
更に、上流側の外壁材において、外壁材（特に一段目の鋼矢板）の下端に基礎梁を配置し、同鋼矢板をサポート材により支保された支柱により支持しているので、外壁材の下端位置及び傾斜角度等を容易に定めることができる。
【００５７】
一方、下流側の外壁材においては、外壁材、即ち間伐材等の長尺材の両端を柱材の溝部に挿入するだけで、同外壁材の下端位置及び傾斜角度を容易に定めることができる。したがって、上流側及び下流側の外壁材の定型化を容易に行うことができる。
【００５８】
また、下流側の外壁材に間伐材等の長尺材を用いることにより自然と調和し、景観性を高めることができる。
【図面の簡単な説明】
【図１】本発明に係る鋼矢板及び間伐材等の長尺材を用いた砂防堰堤を示した立面図である。
【図２】上流側の外壁材の構造を示した斜視図である。
【図３】砂防堰堤を下流側から見た正面図である。
【図４】鋼矢板及び間伐材等の長尺材を用いた砂防堰堤等の土木構造物の構築工法の第一の工程が完了した状態を示した立面図である。
【図５】一段目の鋼矢板の接合、腹起こし材の取付け、コンクリートの打設、及びアンカー材を取り付けた工程を示した正面図である。
【図６】Ａは、アンカー引掛用プレート近傍を拡大して示した平面図である。Ｂは、アンカー引掛用プレート近傍を拡大して示した正面図である。
【図７】鋼矢板及び間伐材等の長尺材を用いた砂防堰堤等の土木構造物の構築工法の第二の工程が完了した状態を示した立面図である。
【図８】二段目の鋼矢板の接合、腹起こし材の取付け、コンクリートの打設、及びアンカー材を取り付けた工程を示した正面図である。
【図９】図８のＡ−Ａ矢視断面図である。
【図１０】図８のＢ−Ｂ矢視断面図である。
【図１１】鋼矢板及び間伐材等の長尺材を用いた砂防堰堤等の土木構造物の構築工法の第三の工程が完了した状態を示した立面図である。
【図１２】Ａは、支持プレートとアンカー引掛用プレートとの接合部近傍を拡大して示した平面図である。Ｂは、支持プレートとアンカー引掛用プレートとの接合部近傍を拡大して示した正面図である。
【図１３】上流側の鋼矢板の頂部を示した拡大図である。
【符号の説明】
１                  砂防堰堤
２                  基礎地盤
３                  外壁材
４                  コンクリート
５                  鋼矢板
６                  間伐材
７                  基礎梁
７ａ                溝
８                  柱材
８ａ                溝部
９                  支持プレート
１０                アンカー引掛用プレート
１１                つなぎ材
１４                支柱
１５                サポート材
１６                腹起こし材
１７                アンカー材
１８                堤冠材
【図１】
0004421124.tif 000002
【図２】
0004421124.tif 000003
【図３】
0004421124.tif 000004
【図４】
0004421124.tif 000005
【図５】
0004421124.tif 000006
【図６】
0004421124.tif 000007
【図７】
0004421124.tif 000008
【図８】
0004421124.tif 000009
【図９】
0004421124.tif 000010
【図１０】
0004421124.tif 000011
【図１１】
0004421124.tif 000012
【図１２】
0004421124.tif 000013
【図１３】
0004421124.tif 000014